(57)【要約】【課題】光ピックアップの傾き制御装置において、光ピックアップをディスク面に対して平行に配置するための構造を簡略化して装置の製造コストを低減すると共に、傾き制御時の被駆動部を軽量化して傾き制御の追従特性の向上を図る。【解決手段】光ピックアップ３を摺動自在に軸支する摺動軸４の一端部４ａ側は保持部材１４により保持され、摺動軸４の他端部４ｂは弾性を有する軸平行度調整部材１３によって支持される。保持部材１４を揺動駆動する駆動部材１５の動作に伴い摺動軸４が傾斜され、光ピックアップ３の傾きが制御される。他端部４ｂは軸平行度調整部材１３によって傾斜自在に支持されているので、摺動軸４は保持部材１４の揺動に追従して傾斜可能とされ、光ピックアップ３の傾き制御が適正に成される。上記構成により装置の構造が簡略化され、また、被駆動部である保持部材１４は軽量化可能とされる。【選択図】　　　　図３
2004047021.tif 000002
【特許請求の範囲】
【請求項１】
光ディスクを保持し回転させるターンテーブルと、
このターンテーブルを回転自在に支持するプレート部材と、
光ピックアップを光ディスクの半径方向に摺動自在に軸支する少なくとも２本の摺動軸と、
前記摺動軸の各一端部を支持する支持部材と、
前記摺動軸の各他端部を前記プレート部材に対して高さ位置調整可能に支持することにより該摺動軸の平行度を調整する軸平行度調整部材と、
前記支持部材を保持し、前記プレート部材に搭載される保持部材と、
光ディスクの記録面の傾きを検出するセンサの出力に基いて前記保持部材を押上げる方向に揺動駆動し、該保持部材の前記プレート部材に対する姿勢を制御する駆動部材とを備え、この駆動部材の動作により光ピックアップの傾きを制御する光ピックアップの傾き制御装置であって、
前記軸平行度調整部材は、
下辺部が前記プレート部材に固定され、上辺部が前記摺動軸を傾斜自在に保持し、かつ、該摺動軸を前記プレート部材方向に付勢するバネ部材と、
前記プレート部材に螺着され、下端部が調整頭部となり、上端部が前記摺動軸の前記バネ部材による保持位置よりも端部側に形成された孔部に当接して端部側を押上げ付勢する高さ調整用ビスとを含み、
前記駆動部材によって前記保持部材が揺動駆動されることに伴い、前記摺動軸が前記孔部を支点として揺動するように構成されていることを特徴とする光ピックアップの傾き制御装置。
【請求項２】
光ディスクを保持し回転させるターンテーブルと、
このターンテーブルを回転自在に支持するプレート部材と、
光ピックアップを光ディスクの半径方向に摺動自在に軸支する少なくとも２本の摺動軸と、
前記摺動軸の各一端部を支持する支持部材と、
前記摺動軸の各他端部を前記プレート部材に対して高さ位置調整可能に支持することにより、該摺動軸の平行度を調整する軸平行度調整部材と、
前記支持部材を保持し、前記プレート部材に搭載される保持部材と、
前記保持部材を揺動駆動し、該保持部材の前記プレート部材に対する姿勢を制御する駆動部材とを備え、この駆動部材の動作により光ピックアップの傾きを制御する光ピックアップの傾き制御装置であって、
前記軸平行度調整部材は、前記摺動軸の各他端部を支点として該摺動軸を揺動自在に支持する弾性部材を含み、
前記駆動部材によって前記保持部材が揺動駆動されることに伴い、前記摺動軸が揺動するように構成されていることを特徴とする光ピックアップの傾き制御装置。
【請求項３】
前記軸平行度調整部材は、前記各他端部又は前記弾性部材を押上げ付勢する高さ調整用ビスを含み、該弾性部材は、前記摺動軸を傾斜自在に支持するバネ部材を有して成ることを特徴とする請求項２に記載の光ピックアップの傾き制御装置。
【発明の詳細な説明】
【０００１】
【発明の属する技術分野】
本発明は、光ディスクの記録面の反りに応じて光ピックアップの傾きを制御する光ピックアップの傾き制御装置に関するものである。
【０００２】
【従来の技術】
従来より、光ディスクドライブ装置においては、２本の摺動軸によって支持された光ピックアップを光ディスクの半径方向に摺動させ、データの記録／再生を行うようにしている。このような光ディスクドライブ装置では、記録／再生時のジッタを低減するため、光ピックアップを光ディスクのディスク面（データ記録面）に対して平行に配置して、光ピックアップの対物レンズの光軸と、ディスク面とを直交させることが望ましいとされている。そこで、バネ部材及び調整ビスを用いて上記摺動軸の傾きを調整することにより、上記対物レンズの光軸の傾きを調整可能に構成した光ディスクドライブ装置が知られている（例えば、特開平１１−１４９７２４号公報、特開２０００−１９５０６２号公報及び特開２０００−１０５９３２号公報参照）。
【０００３】
【発明が解決しようとする課題】
ところで、光ディスクは、その構造上、光ディスク個体ごとに僅かながら異なる反りを有している。この反りによって、対物レンズの光軸とディスク面との成す角はディスクごとに変動しジッタが発生する。そこで、ジッタの低減を図るためには、装填された光ディスクの反りに応じて上記対物レンズの光軸の傾きを制御する機構を備えることが望ましい。しかしながら、上記公報に示された装置は、いずれも工場出荷時等における摺動軸（対物レンズの光軸）の傾きを初期設定するための機構を備えたものである。すなわち、これらの機構は、光ディスクに反りがない場合、又は光ディスクに個体差はなく、いずれの光ディスクにおいても一様な反りを有している場合において有効な機構であり、上述したような光ディスク個体ごとに反りが異なっている場合には対応できない。
【０００４】
そこで、上記摺動軸両端の軸受けを保持する保持部材を設け、この保持部材を装置のシャーシ上に揺動自在に搭載し、さらに、別途設けた駆動部材によって該保持部材を光ディスクの反りに応じて揺動駆動し、対物レンズの光軸の傾きを制御するように光ディスクドライブ装置を構成することも可能である。しかしながら、このような構成にあっては、装置の構造が複雑となり、装置の製造コストを削減することができない。また、上記保持部材は、摺動軸両端の軸受けを保持する構造上、光ピックアップの摺動距離に応じたサイズが必要となる。これに伴い、保持部材（上記駆動部材に駆動される被駆動部）の重量が嵩むため、高トルクの駆動源が必要となり装置の製造コストが上昇する。また、保持部材の重量が嵩むことにより、傾き制御の追従特性が悪化する。
【０００５】
本発明は、上述した問題点を解決するためになされたものであり、光ピックアップをディスク面に対して平行に配置するための構造を簡略化して装置の製造コストを低減すると共に、被駆動部を軽量化して傾き制御の追従特性の向上を図った光ピックアップの傾き制御装置を提供することを目的とする。
【０００６】
【課題を解決するための手段】
上記目的を達成するために請求項１の発明は、光ディスクを保持し回転させるターンテーブルと、このターンテーブルを回転自在に支持するプレート部材と、光ピックアップを光ディスクの半径方向に摺動自在に軸支する少なくとも２本の摺動軸と、摺動軸の各一端部を支持する支持部材と、摺動軸の各他端部をプレート部材に対して高さ位置調整可能に支持することにより該摺動軸の平行度を調整する軸平行度調整部材と、支持部材を保持し、プレート部材に搭載される保持部材と、光ディスクの記録面の傾きを検出するセンサの出力に基いて保持部材を押し上げる方向に揺動駆動し、該保持部材の前記プレート部材に対する姿勢を制御する駆動部材とを備え、この駆動部材の動作により光ピックアップの傾きを制御する光ピックアップの傾き制御装置であって、軸平行度調整部材は、下辺部がプレート部材に固定され、上辺部が摺動軸を傾斜自在に保持し、かつ、該摺動軸をプレート部材方向に付勢するバネ部材と、プレート部材に螺着され、下端部が調整頭部となり、上端部が摺動軸のバネ部材による保持位置よりも端部側に形成された孔部に当接して端部側を押上げ付勢する高さ調整用ビスとを含み、駆動部材によって保持部材が揺動駆動されることに伴い、摺動軸が孔部を支点として揺動するように構成されているものである。
【０００７】
この構成においては、光ピックアップを軸支する摺動軸は、その他端部側の高さ位置調整用ビスによって互いの平行度が調整され、その一端部側が揺動駆動されることにより、上記平行度を維持しつつ傾斜され、光ピックアップは、ディスク面に対して平行となるように傾き制御される。他端側は、軸平行度調整部材に含まれるバネ部材によって傾斜自在に支持されているので、摺動軸は保持部材の揺動に追従して傾斜可能とされ、光ピックアップの傾き制御が適正に成される。ここで、上記保持部材は摺動軸の各一端部側の支持部材を保持できる程度の大きさであればよく、小型・軽量化可能とされる。
【０００８】
また、他端部の高さ位置は、高さ調整用ビスの締結・弛緩により調整される。高さ調整用ビスが締め込まれると、該ビスに当接される孔部が押上げ付勢され、摺動軸にはバネ部材による保持位置を支点とするモーメントが発生する。これによって保持部材は駆動部材側に付勢され、両者の当接状態は安定し、保持部材は駆動部材の駆動に応じて正確に揺動されるようになる。
【０００９】
また、請求項２の発明は、光ディスクを保持し回転させるターンテーブルと、このターンテーブルを回転自在に支持するプレート部材と、光ピックアップを光ディスクの半径方向に摺動自在に軸支する少なくとも２本の摺動軸と、摺動軸の各一端部を支持する支持部材と、摺動軸の各他端部をプレート部材に対して高さ位置調整可能に支持することにより、該摺動軸の平行度を調整する軸平行度調整部材と、支持部材を保持し、プレート部材に搭載される保持部材と、保持部材を揺動駆動し、該保持部材のプレート部材に対する姿勢を制御する駆動部材とを備え、この駆動部材の動作により光ピックアップの傾きを制御する光ピックアップの傾き制御装置であって、軸平行度調整部材は、摺動軸の各他端部を支点として該摺動軸を揺動自在に支持する弾性部材を含み、駆動部材によって保持部材が揺動駆動されることに伴い、摺動軸が揺動するように構成されているものである。
【００１０】
この構成においては、光ピックアップを軸支する摺動軸の一端部側が揺動駆動されることにより、光ピックアップはディスク面に対して平行となるように傾き制御される。摺動軸の他端側は、軸平行度調整部材に含まれるバネ部材によって傾斜自在に支持されているので、摺動軸は保持部材の揺動に追従して傾斜可能とされ、光ピックアップの傾き制御が適正に成される。ここで、上記保持部材は摺動軸の各一端部側の支持部材を保持できる程度の大きさであればよく、小型・軽量化可能とされる。
【００１１】
また、請求項３の発明は、請求項２に記載の光ピックアップの傾き制御装置において、軸平行度調整部材は、各他端部又は弾性部材を押上げ付勢する高さ調整用ビスを含み、該弾性部材は、摺動軸を傾斜自在に支持するバネ部材を有して成るものである。この構成においては、摺動軸の他端部は、高さ調整用ビスによってその高さ位置が調整され、バネ部材によって傾斜自在に支持される。これにより、摺動軸は互いの平行度を維持しつつ、保持部材の揺動に追従して傾斜可能とされる。
【００１２】
【発明の実施の形態】
以下、本発明の一実施形態による光ピックアップの傾き制御装置を備えた光ディスクドライブ装置について図面を参照して説明する。図１において、光ディスクドライブ装置１は、装填された光ディスクＤをターンテーブル２によって保持し回転させると共に、光ピックアップ３を光ディスクＤの半径方向に摺動させ、データの記録／再生を行う装置である。光ピックアップ３は２本の摺動軸４によって軸支され、スクリューシャフト５によって摺動駆動される。データの記録／再生は、光ピックアップ３より光ディスクＤにレーザ光を照射することにより成される。レーザ光は、光ピックアップ３に設けられた対物レンズ６によって光ディスクＤの記録面に集光される。光ディスクドライブ装置１は、光ディスクＤの記録面の反りに応じて光ピックアップ３の傾きを制御し、記録面と対物レンズ６の光軸を直交させる光ピックアップの傾き制御装置１０を備え、記録／再生中におけるジッタを低減するようにしている。光ピックアップの傾き制御装置１０は、光ディスクドライブ装置１のシャーシ７に搭載される。
【００１３】
図２及び図３において、光ピックアップの傾き制御装置１０は、ターンテーブル２と、プレート部材１１と、２本の摺動軸４と、支持部材１２と、軸平行度調整部材１３と、保持部材１４と、駆動部材１５とを備えている。ターンテーブル２は、装填された光ディスクＤを保持し、プレート部材１１の下部に配置されたスピンドルモータ（図示せず）から駆動を受け、光ディスクＤを回転させる。プレート部材１１は、ターンテーブル２を回転自在に支持し、シャーシ７に搭載される。摺動軸４は、各一端部４ａが支持部材１２によって、各他端部４ｂが軸平行度調整部材１３によって支持されており、他端部４ｂの高さ位置調整により、側面視で互いに平行に配置され、光ピックアップ３を上記半径方向に摺動自在に軸支する。これら２本の摺動軸４の傾きを制御することによって、光ピックアップ３の傾きが制御される。また、摺動軸４の他端部４ｂには、高さ調整用ビス２１の上端部２１ｂが当接する孔部４ｃが形成され、両者の当接により他端部４ｂが固定される。支持部材１２は摺動軸４の各一端部４ａを支持し、保持部材１４に保持される。摺動軸４、支持部材１２及び保持部材１４は、接着剤又はビス締めによってそれぞれ結合されている。
【００１４】
軸平行度調整部材１３は、図４に示されるように、摺動軸４を傾斜自在に保持するステンレス製のバネ部材２０と、プレート部材１１に螺着される高さ調整用ビス２１とを有し、他端部４ｂを傾斜自在に、かつ、プレート部材１１に対して高さ位置調整可能に支持する。バネ部材２０は、摺動軸４を傾斜自在に保持する上辺部２２と、プレート部材１１に固定される下辺部２３とによって構成される。上辺部２２の上部は、摺動軸４を保持できるように円筒状に形成され、その内径は摺動軸４の軸径より若干大きく設定されている。これにより、摺動軸４と上辺部２２の間には、高さ調整用ビス２１が締め込まれたとき上辺部２２が弾性変形可能な隙間空間が生じ、この上辺部２２の弾性変形によって、摺動軸４はプレート部材１１の方向に付勢される。また、下辺部２３は、ビス２４によってプレート部材１１に固定される。
【００１５】
高さ調整用ビス２１は、下端の調整頭部２１ａが回転されることにより締結又は弛緩され、これにより、上端部２１ｂのプレート部材１１からの突出し量が調整される。上端部２１ｂが高さ調整初期段階における孔部４ｃに当接した後、さらに高さ調整用ビス２１が締め込まれると、孔部４ｃは高さ調整用ビス２１によって押上げ付勢され他端部４ｂは上昇し、高さ調整用ビス２１が弛緩されると上辺部２２の付勢力により他端部４ｂは降下する。こうして、他端部４ｂの高さ位置が容易に調整される。この調整は工場出荷時に成され、これによって２本の摺動軸４が側面視で平行に配置され、光ピックアップ３の円滑な移動が可能とされる。
【００１６】
摺動軸４の一端部４ａを支持する支持部材１２は、図５に示されるように、保持部材１４によって保持され、保持部材１４は、ダンパ１６を介してプレート部材１１に搭載される。このダンパ１６はバネ効果を有する弾性体によって形成されており、保持部材１４の傾きを防止すると共に、摺動軸４の振れを防止する。また、保持部材１４は、その下面に駆動部材１５のカム１５ａと当接する半球形状の凸部１４ａを有しており、駆動部材１５の回転に伴い揺動駆動され、上下に揺動する。駆動部材１５は、傾き制御用モータ（図示せず）によって回転駆動され、上部に形成されているカム１５ａによって保持部材１４を揺動駆動する。傾き制御用モータは、光ディスクＤの記録面の傾きを検出するチルトセンサ（図示せず）の出力に基いて動作制御される。
【００１７】
軸平行度調整部材は、図６に示されるような形態であってもよい。この軸平行度調整部材３０は、摺動軸４の他端部４ｂを傾斜自在に保持するバネ部材３１と、プレート部材１１に螺着される高さ調整用ビス３２と、高さ調整用ビス３２の上端部３２ｂが当接するビス当接部材３３とを有し、摺動軸４の他端部４ｂを傾斜自在に、かつ、プレート部材１１に対して高さ位置調整可能に支持する。バネ部材３１は、摺動軸４をプレート部材１１方向に付勢する上辺部３４と、ビス３５によってプレート部材１１に固定される下辺部３６とを有している。上辺部３４は、側面視で略Ａ字状の形状とされ、摺動軸４が結合される上段部３４ａと、ビス当接部材３３が装着される下段部３４ｂとによって成る。摺動軸４は、上段部３４ａに設けられた挿入孔に挿入されることにより、上段部３４ａに結合される。このとき、一端部４側より矢印Ｃ方向に加えられた付勢力によって上記結合が確実なものとされる。上辺部３４は弾性を有しており、摺動軸４は、上段部３４ａによって傾斜自在とされ、高さ調整用ビス３２が締め込まれたとき、下段部３４ｂによってプレート部材１１の方向に付勢される。
【００１８】
高さ調整用ビス３２は、下端の調整頭部３２ａが回転されることにより締結又は弛緩され、これにより、上端部３２ｂのプレート部材１１からの突出し量が調整される。上端部３２ｂが高さ調整初期段階におけるビス当接部材３３に当接した後、さらに高さ調整用ビス３２が締め込まれると、ビス当接部材３３は高さ調整用ビス３２によって押上げ付勢され他端部４ｂは上昇し、高さ調整用ビス３２が弛緩されると、他端部４ｂは下段部３４ｂの付勢力によって下降する。こうして、他端部４ｂの高さ位置が容易に調整され、この調整によって２本の摺動軸４が側面視で平行に配置される。
【００１９】
上述のように構成された光ディスクドライブ装置１においては、光ピックアップ３を軸支する摺動軸４の他端部４ｂは、軸平行度調整部材１３，３０に含まれるバネ部材２０，３１によって傾斜自在に保持されている。これにより、摺動軸４は保持部材１４の揺動に追従して傾斜可能とされ、光ピックアップ３の傾き制御が適正に成され、記録／再生時のジッタが低減される。また、このとき、摺動軸４の各一端部４ａは支持部材１２を介して保持部材１４に保持され、各他端部４ｂはバネ部材２０及び高さ位置調整用ネジ２１によって位置決めされ、保持されているので、各摺動軸４は、互いの平行度が維持された状態で傾斜され、これによっても記録／再生時のジッタが低減される。
【００２０】
また、上述したように摺動軸４は、その他端部４ｂ側が軸平行度調整部材１３，３０によって傾斜自在に保持されているので、他端部４ｂを傾斜自在に保持するための部材を別途設けることなく、光ピックアップ３の傾きを制御でき、装置を簡略化してその製造コストの低減を図ることができる。また、保持部材１４は摺動軸４の一端部４ａ側の支持部材１２を保持できる程度の大きさであればよく、摺動軸４の両端に亘って形成される必要がなくなり、小型・軽量化可能とされる。これによって、駆動部材１４を駆動する傾き制御用モータとして低トルクのモータを適用することができ、装置の製造コストを低減すると共に、装置の消費電力を低減することができる。さらに、駆動部材１５によって駆動される被駆動部とされる保持部材１４が軽量化されることにより、傾き制御の追従特性が良好なものとなりジッタが低減される。
【００２１】
また、軸平行度調整部材１３においては、高さ調整用ビス２１の上端部２１ｂに当接される孔部４ｃがバネ部材２０よりも端部側に形成されているので、高さ調整用ビス２１の締結によって、孔部４ｃが押上げ付勢され、摺動軸４にはバネ部材による保持位置を支点とするモーメントが発生する。これにより、一端部４ａは駆動部材１５側に付勢され、両者の当接状態は安定し、保持部材１４は、駆動部材１５の駆動に応じて正確に揺動されるようになり、ジッタが低減される。また、摺動軸４の孔部４ｃと高さ調整用ビス２１の上端部２１ｂとの当接により、他端部４ｂが固定されるので、他端部４ｂの光ディスクＤの周方向への位置ずれが防止される。これにより、光ピックアップ３の位置決めが正確に成され、記録／再生時のエラーを防止することができる。
【００２２】
なお、本発明は上記実施形態の構成に限られることなく種々の変形が可能であり、例えば、平行度調整部材に含まれるバネ部材は、上記構成で示したバネ部材２０又はバネ部材３１に限られることなく、摺動軸４の他端部４ｂを傾斜自在に保持できる形態であれば、その材質及び形状は特に限定されない。また、摺動軸４の他端部４ｂの高さ調整機構は、高さ調整用ビス２１，３２の締結／弛緩による形態に限られることなく、プレート部材１１に対するバネ部材２０，３１の取付け高さ位置を調整するような形態であってもよい。また、孔部４ｃを省略する構成としてもよい。さらにまた、３本以上の摺動軸４を備えた構成であっても構わない。
【００２３】
【発明の効果】
以上のように請求項１の発明によれば、光ピックアップを軸支する摺動軸は、その他端部側が軸平行度調整部材によって傾斜自在に保持されているので、その他端部を傾斜自在に保持するための部材を別途設けることなく、光ピックアップの傾きを制御でき、装置を簡略化してその製造コストの低減を図ることができる。また、保持部材は軽量化可能とされるので、傾き制御の追従特性が良好となりジッタが低減されると共に、駆動部材の駆動に必要なトルクが軽減され、装置の製造コストを低減することができる。また、高さ調整用ビスの締め込みによって保持部材が駆動部材側に付勢されるように構成しているので、保持部材は正確に揺動駆動されジッタが低減される。
【００２４】
請求項２の発明によれば、光ピックアップを軸支する摺動軸は、その他端部側が軸平行度調整部材によって傾斜自在に保持されているので、その他端部を傾斜自在に保持するための部材を別途設けることなく、光ピックアップの傾きを制御でき、装置を簡略化してその製造コストの低減を図ることができる。また、保持部材は軽量化可能とされるので、傾き制御の追従特性が良好となりジッタが低減されると共に、駆動部材の駆動に必要なトルクが軽減され、装置の製造コストを低減することができる。
【００２５】
請求項３の発明によれば、摺動軸の他端部は、高さ調整用ビスによってその高さ位置が調整され、バネ部材によって傾斜自在に支持されるように構成しているので、装置の構造が簡略化される。また、摺動軸の平行度の調整が容易になる。
【図面の簡単な説明】
【図１】本発明の一実施形態による光ディスクドライブ装置の全体構成を示した斜視図。
【図２】同装置に適用される光ピックアップの傾き制御装置の斜視図。
【図３】（ａ）は同装置の平面図、（ｂ）は同装置の側面図。
【図４】（ａ）は同装置における軸平行度調整部材の側面図、（ｂ）は図３における矢印Ａ方向から見た同部材の側面図。
【図５】図３におけるＢ−Ｂ線断面図。
【図６】（ａ）は同装置における別の軸平行度調整部材の側面図、（ｂ）は図３における矢印Ａ方向から見た同部材の側面図。
【符号の説明】
２　　ターンテーブル
３　　光ピックアップ
４　　摺動軸
４ａ　　一端部
４ｂ　　他端部
４ｃ　　孔部
１０，３０　　光ピックアップの傾き制御装置
１１　　プレート部材
１１　　プレート部材
１２　　支持部材
１３　　軸平行度調整部材
１４　　保持部材
１５　　駆動部材
２０，３１　　バネ部材
２１，３２　　高さ調整用ビス
２１ａ，３２ａ　　調整頭部
２１ｂ，３２ｂ　　上端部
２２　　上辺部
２３　　下辺部
Ｄ　　光ディスク
【図１】
2004047021.tif 000003
【図２】
2004047021.tif 000004
【図３】
2004047021.tif 000005
【図４】
2004047021.tif 000006
【図５】
2004047021.tif 000007
【図６】
2004047021.tif 000008